【手続補正書】
【提出日】平成28年2月17日(2016.2.17)
【手続補正１】
【補正対象書類名】特許請求の範囲
【補正対象項目名】全文
【補正方法】変更
【補正の内容】
【特許請求の範囲】
【請求項１】
易分解性ガスの吸着貯蔵および続いての脱着放出に適した炭素吸着剤であって、前記炭素吸着剤が、メソ細孔容積が炭素吸着剤のｇｍ当たり０．２５ｃｍ３未満である多孔度を備え、前記多孔度が少なくとも８０体積％の微孔を含み、前記微孔の少なくとも６５体積％が０．３から０．７２ｎｍの範囲の孔径を有し、前記炭素吸着剤が７７°Ｋで測定して、炭素吸着剤のｇ当たり８００ｍ２を超える窒素吸着ＢＥＴ表面積および炭素吸着剤のｃｃ当たり０．５５ｇを超えるバルク密度を有する、炭素吸着剤。
【請求項２】
０．６ｇ／ｃｃから１．６ｇ／ｃｃの範囲のバルク密度を有する、請求項１に記載の炭素吸着剤。
【請求項３】
７７°Ｋで測定して、１０００ｍ２／ｇを超える窒素吸着ＢＥＴ表面積を有する、請求項１に記載の炭素吸着剤。
【請求項４】
７７°Ｋで測定して、１２００ｍ２／ｇを超える窒素吸着ＢＥＴ表面積を有する、請求項１に記載の炭素吸着剤。
【請求項５】
直径または主寸法が０．３から４ｍｍの範囲の粒子を含む粒子形態である、請求項１に記載の炭素吸着剤。
【請求項６】
炭素吸着剤のｃｃ当たり０．８ｇを超えるピース密度（ｐｉｅｃｅ  ｄｅｎｓｉｔｙ）を有する粒子を含む粒子形態である、請求項１に記載の炭素吸着剤。
【請求項７】
モノリシック形態である、請求項１に記載の炭素吸着剤。
【請求項８】
モノリシック形態がブリック、ブロック、インゴットまたはディスク物品を含む、請求項７に記載の炭素吸着剤。
【請求項９】
炭素吸着剤のｃｃ当たり０．８０から２．０ｇのバルク密度を有する、請求項７に記載の炭素吸着剤。
【請求項１０】
三次元（ｘ，ｙ，ｚ）特性を有し、当該寸法それぞれが１．５ｃｍを超える、請求項７に記載の炭素吸着剤。
【請求項１１】
三次元（ｘ，ｙ，ｚ）特性を有し、当該寸法それぞれが２ｃｍを超える、請求項７に記載の炭素吸着剤。
【請求項１２】
ポリビニリデンクロリド、フェノール−ホルムアルデヒド樹脂、ポリフルフリルアルコール、ポリビニリデンフルオリド、ココナッツ殻、ピーナッツ殻、モモ種、オリーブ核、ポリアクリロニトリルおよびポリアクリルアミドから成る群より選択される材料の熱分解生成物を含む、請求項１に記載の炭素吸着剤。
【請求項１３】
ポリビニリデンクロリドの熱分解生成物を含む、請求項１に記載の炭素吸着剤。
【請求項１４】
２５℃および圧力６５０トル（８６．７ｋＰａ）にてアセチレンガスについて測定して、炭素吸着剤のリットル当たり１００ｇのアセチレンを超える充填密度を有する、請求項１に記載の炭素吸着剤。
【請求項１５】
２５℃および圧力６５０トル（８６．７ｋＰａ）にてアセチレンガスについて測定して、炭素吸着剤のリットル当たり１２０ｇのアセチレンを超える充填密度を有する、請求項１に記載の炭素吸着剤。
【請求項１６】
２５℃および圧力６５０トル（８６．７ｋＰａ）にてアセチレンガスについて測定して、炭素吸着剤のリットル当たり１４０ｇのアセチレンを超える充填密度を有する、請求項１に記載の炭素吸着剤。
【請求項１７】
表面に吸着されている易分解性ガスを有する、請求項１から１６のいずれかに記載の炭素吸着剤。
【請求項１８】
易分解性ガスが：ホルムアルデヒド；式Ｒ１−Ｃ≡Ｃ−Ｒ２のアセチレン化合物（式中、Ｒ１およびＲ２はそれぞれＨ、Ｃ１−Ｃ１２アルキル、Ｃ６−Ｃ１０アリール、Ｃ６−Ｃ１２シクロアルキル、アミノ、アルキルアミノ、ジアルキルアミノ、アルキルがＣ１−Ｃ１２アルキルでありおよびアリールがＣ６−Ｃ１０アリールであるアルキルアリール、アルキルがＣ１−Ｃ１２アルキルでありおよびアリールがＣ６−Ｃ１０アリールであるアリールアルキル、シリルならびに各Ｒ３がＨおよびＣ１−Ｃ１２アルキルより独立して選択されるＲ３Ｓｉ−より独立して選択される。）；他の不飽和直鎖炭化水素；メチレン；エチレン；ジボラン；ボラン；ゲルマン；フルオロゲルマン；カルボラン；アラン；アルミニウムヒドリド；シラン；クロロシラン；ジガラン；クロロガラン；およびスタンナンから成る群より選択されるガスを含む、請求項１７に記載の炭素吸着剤。
【請求項１９】
易分解性ガスがアセチレンを含む、請求項１７に記載の炭素吸着剤。
【請求項２０】
請求項１に記載の炭素吸着剤あって、その吸着剤表面を不動態化または不活性化するのに有効な処理によって、易分解性ガスと前記表面との相互作用が化学反応を伴わずに物理吸着に制限されるように処理されている、炭素吸着剤。
【請求項２１】
処理が：
（ｉ）吸着剤のルイス酸部位を除去する化学処理；
（ｉｉ）表面中和処理；
（ｉｉｉ）（ａ）炭素吸着剤を不活性ガスによって循環パージすること；（ｂ）炭素吸着剤を真空下で高温まで加熱すること；（ｃ）続いて炭素吸着剤を不活性ガスで循環パージすること；（ｄ）炭素吸着剤を高温にて低濃度の所期の貯蔵ガスと接触させること；（ｅ）貯蔵ガスを除去すること；および（ｆ）炭素吸着剤を真空下で周囲温度まで冷却することを含む工程；ならびに
（ｉｖ）（ａ）炭素吸着剤を不活性ガスによって循環パージすること；（ｂ）炭素吸着剤を真空下で高温まで加熱すること；（ｃ）炭素吸着剤を真空下で周囲温度まで冷却すること；（ｄ）炭素吸着剤を低濃度の所期の貯蔵ガスと徐々に接触させること；（ｅ）ガスを含有する容器を３５℃から１８０℃の範囲の温度まで加温すること；（ｆ）容器圧力を安定させること；（ｇ）炭素吸着剤を脱気および循環パージすること；および（ｈ）炭素吸着剤を真空下で周囲温度まで冷却することを含む工程
から成る群より選択される、請求項２０に記載の炭素吸着剤。
【請求項２２】
易分解性ガス貯蔵および分配パッケージであって、内部容積を含むガス貯蔵および分配容器ならびに前記内部容積に配置された請求項１から１６のいずれかに記載の炭素吸着剤を含む、易分解性ガス貯蔵および分配パッケージ。
【請求項２３】
易分解性ガスをガス貯蔵および分配容器中に含有するために閉止可能であり、前記ガス貯蔵および分配容器から易分解性ガスを分配できるように開放可能であるバルブを含むバルブヘッド組立体をさらに備える、請求項２２に記載の易分解性ガス貯蔵および分配パッケージ。
【請求項２４】
ガス貯蔵および分配容器から導かれる易分解性ガスの爆燃を抑制するように構成された爆燃抑制部品または組立体をさらに備える、請求項２２に記載の易分解性ガス貯蔵および分配パッケージ。
【請求項２５】
空容積として測定される内部容積が１から２５リットルの範囲である、請求項２２に記載の易分解性ガス貯蔵および分配パッケージ。
【請求項２６】
空容積として測定される内部容積が２５から２００リットルの範囲である、請求項２２に記載の易分解性ガス貯蔵および分配パッケージ。
【請求項２７】
運搬車両に一体化される、請求項２２に記載の易分解性ガス貯蔵および分配パッケージ。
【請求項２８】
ガス貯蔵および分配容器がチューブトレーラー容器を含む、請求項２２に記載の易分解性ガス貯蔵および分配パッケージ。
【請求項２９】
炭素吸着剤に吸着されている易分解性ガスを含む、請求項２２に記載の易分解性ガス貯蔵および分配パッケージ。
【請求項３０】
易分解性ガスがホルムアルデヒド；式Ｒ１−Ｃ≡Ｃ−Ｒ２のアセチレン化合物（式中、Ｒ１およびＲ２はそれぞれＨ、Ｃ１−Ｃ１２アルキル、Ｃ６−Ｃ１０アリール、Ｃ６−Ｃ１２シクロアルキル、アミノ、アルキルアミノ、ジアルキルアミノ、アルキルがＣ１−Ｃ１２アルキルでありおよびアリールがＣ６−Ｃ１０アリールであるアルキルアリール、アルキルがＣ１−Ｃ１２アルキルでありおよびアリールがＣ６−Ｃ１０アリールであるアリールアルキル、シリル、ならびに各Ｒ３がＨおよびＣ１−Ｃ１２アルキルより独立して選択されるＲ３Ｓｉ−より独立して選択される。）；他の不飽和直鎖炭化水素；メチレン；エチレン；ジボラン；ボラン；ゲルマン；フルオロゲルマン；カルボラン；アラン；アルミニウムヒドリド；シラン；クロロシラン；ジガラン；クロロガラン；およびスタンナンから成る群より選択されるガスを含む、請求項２９に記載の易分解性ガス貯蔵および分配パッケージ。
【請求項３１】
易分解性ガスがアセチレンを含む、請求項２９に記載の易分解性ガス貯蔵および分配パッケージ。
【請求項３２】
炭素吸着剤が、その吸着剤表面を不動態化または不活性化するのに有効な処理によって、易分解性ガスと前記表面との相互作用が化学反応を伴わずに物理吸着に制限されるように処理されている、請求項２２に記載の易分解性ガス貯蔵および分配パッケージ。
【請求項３３】
処理が：
（ｉ）吸着剤のルイス酸部位を除去する化学処理；
（ｉｉ）表面中和処理；
（ｉｉｉ）（ａ）炭素吸着剤を不活性ガスによって循環パージすること；（ｂ）炭素吸着剤を真空下で高温まで加熱すること；（ｃ）続いて炭素吸着剤を不活性ガスで循環パージすること；（ｄ）炭素吸着剤を高温にて低濃度の所期の貯蔵ガスと接触させること；（ｅ）貯蔵ガスを除去すること；および（ｆ）炭素吸着剤を真空下で周囲温度まで冷却することを含む工程；ならびに
（ｉｖ）（ａ）炭素吸着剤を不活性ガスによって循環パージすること；（ｂ）炭素吸着剤を真空下で高温まで加熱すること；（ｃ）炭素吸着剤を真空下で周囲温度まで冷却すること；（ｄ）炭素吸着剤を低濃度の所期の貯蔵ガスと徐々に接触させること；（ｅ）ガスを含有する容器を３５℃から１８０℃の範囲の温度まで加温すること；（ｆ）容器圧力を安定させること；（ｇ）炭素吸着剤を脱気および循環パージすること；および（ｈ）炭素吸着剤を真空下で周囲温度まで冷却することを含む工程
から成る群より選択される、請求項３２に記載の易分解性ガス貯蔵および分配パッケージ。
【請求項３４】
易分解性ガスを利用するのに適した加工ツールに、分配に関連して連結されている、請求項２２に記載の易分解性ガス貯蔵および分配パッケージ。
【請求項３５】
使用場所での易分解性ガスの供給に使用するための易分解性ガスをパッケージする方法であって、易分解性ガスを炭素吸着剤への吸着形態で提供して、前記使用場所で脱着させられるように、前記易分解性ガスを請求項１から１６のいずれか一項に記載の炭素吸着剤に吸着させることを含む、方法。
【請求項３６】
易分解性ガスが吸着のために注入されるガス貯蔵および分配容器中に炭素吸着剤が提供される、請求項３５に記載の方法。
【請求項３７】
易分解性ガスがアセチレンを含む、請求項３６に記載の方法。
【請求項３８】
易分解性ガスを易分解性ガスの使用場所での供給に使用するためのパッケージを製造する方法であって、ガス貯蔵および分配容器を製造することならびに請求項１から１６のいずれか一項に記載の炭素吸着剤をガス貯蔵および分配容器中に配置することを含む、方法。
【請求項３９】
易分解性ガスがアセチレンを含む、請求項３８に記載の方法。
【請求項４０】
易分解性ガスを使用場所にて供給する方法であって、前記使用場所にて、前記易分解性ガスを表面に吸着させた請求項１から１６のいずれか一項に記載の炭素吸着剤を提供すること、および前記使用場所にて前記易分解性ガスを前記炭素吸着剤から脱着させることを含む、方法。
【請求項４１】
易分解性ガスがアセチレンを含む、請求項４０に記載の方法。